(57)【要約】【課題】医療機関、地域、場所、状況に制限されることなく患者が適切な医療行為を受けることができ、また、医師が各患者に適切な医療行為を行うことができる医療情報システム及びプログラムを提供する。【解決手段】患者１の医療情報を格納した携帯可能な記憶媒体１０と、医療機関に設けられて、前記記憶媒体に格納された医療情報の閲覧と、新たに患者に施された治療に関する情報を前記医療情報に追記する医療機関情報処理装置３２と、患者個人が管理し対応した医療上の情報を前記医療情報に追記する自宅情報処理装置３３と、医師以外の医療関係者が患者に対して処置した内容と、医師が施した救急治療の内容を前記前記医療情報に追記する救命情報処理装置３４、３５とを備え、前記医療機関情報処理装置は患者と医者との認証を求め、前記自宅情報処理装置は患者の認証を求め、前記救命情報処理装置は医師または医師以外の医療関係者の認証を求める医療情報システムである。【選択図】図２
2011028330.tif 000002
【特許請求の範囲】
【請求項１】
患者の医療情報を格納した携帯可能な記憶媒体と、
医療機関に設けられて、前記記憶媒体に格納された医療情報の閲覧と、新たに患者に施された治療に関する情報を前記医療情報に追記する医療機関情報処理装置と、
患者個人が管理し対応した医療上の情報を前記医療情報に追記する自宅情報処理装置と、
医師以外の医療関係者が患者に対して処置した内容と、医師が施した救急治療の内容を前記医療情報に追記する救命情報処理装置と
を備え、
前記医療機関情報処理装置は前記医療情報の取扱について患者と医者との認証を求め、前記自宅情報処理装置は前記医療情報の取扱について患者の認証を求め、前記救命情報処理装置は前記医療情報の取扱について医師または医師以外の医療関係者の認証を求めることを特徴とする医療情報システム。
【請求項２】
前記医療情報は、第１レベルの情報と第２レベルの情報の２層に区分され、
前記第１レベルの情報には、
患者個人を識別し認証する個人識別情報と、
患者が自己で管理しあるいは対応した医療上の情報である自己管理情報と、
救急時に参照される救急医療情報と、
救急時に患者に施した処置内容、治療内容である救急処置治療情報とを含み、
前記第２レベルの情報には、
医師が患者に施した治療行為に関する情報である医療行為情報と、
医師が患者に施した外科手術の情報であるオペ情報とを含み、
前記第２レベルの情報の閲覧及び追記は認証された医師にのみ認められることを特徴とする請求項１に記載の医療情報システム。
【請求項３】
それぞれの医療情報を集約して管理する管理サーバを更に備え、
前記医療機関情報処理装置、前記自宅情報処理装置及び前記救命情報処理装置は、前記追記された情報を前記管理サーバに送信し、
前記管理サーバは、送信された前記追記された情報を対応する医療情報に反映することを特徴とする請求項２に記載の医療情報システム。
【請求項４】
前記記憶媒体は、患者の生体情報によって当該患者を認証する機能を備えていることを特徴とする請求項２に記載の医療情報システム。
【請求項５】
コンピュータを１から４のいずれか１項に記載の医療情報システムに備えられた前記医療機関情報処理装置、前記自宅情報処理装置または前記救命情報処理装置として機能させることを特徴とするコンピュータプログラム。
【発明の詳細な説明】
【技術分野】
【０００１】
本発明は、医療機関、地域、場所、状況に制限されることなく患者が適切な医療行為を受けることができ、また、医師が各患者に適切な医療行為を行うことを可能とする医療情報システム及びプログラムに関する。
【背景技術】
【０００２】
現在、個人の病歴や個人の持つ疾患情報については、医療機関に於けるカルテに集約されて記録されている。この疾患情報を医療機関において共有することによって、適切で精度の高い医療の実現を図る技術が開示されている。
【０００３】
特許文献１に記載の技術では、共有サーバ装置がクライアント装置へ医療用アプリケーションプログラムと電子カルテを提供し、各医療関連施設において該患者医療データを有効利用する。
【０００４】
特許文献２には、複数の医療関連施設で共有可能な電子カルテシステムが開示されている。このシステムでは、患者自身が電子カルテを参照可能であり、この電子カルテには、患者のプライバシー保護や告知の希望の有無が考慮されている。
【先行技術文献】
【特許文献】
【０００５】
【特許文献１】特開２００２−１１７１４２号公報
【特許文献２】特許第３９２６７７８号公報
【発明の概要】
【発明が解決しようとする課題】
【０００６】
ところで、突発的に起こる災害や事故等に対応する救急医療の分野において、患者の病歴や検査情報を知ることで、適正な治療を行うことができ、生存率や社会復帰の可能性を高めることは周知の事実である。
【０００７】
特許文献１に記載の医療情報システムでは、一医療機関内または提携関係のある医療機関同士内でのネットワーク化による患者の医療情報の共有が可能なだけである。  
特許文献２に記載の技術では、患者情報をサーバ装置等にて管理し、ネットワーク等で接続された特定の場所（該医療機関、患者自宅等）に設置された端末等にてサーバ等装置へアクセスすることによってのみ閲覧が可能である。
【０００８】
このように、従来の医療情報システムでは、患者が一度医療機関、自宅を出てしまえば、該患者の医療情報は特定のネットワーク内に取り残され、前医療機関とは異なる医療機関（ネットワーク化もされておらず、共有もしていない孤立した診療所等）での診療において利用することができない。緊急を要する救命救急は医療機関の施設外で起こることも多く、この場合において、電子カルテが特定のネットワーク内に取り残された状態では、患者の医療情報が完全に不明であるため、迅速かつ的確な医療行為を行えないことも考えられる。
【０００９】
一方、昨今の高齢化社会の中では、高齢者の一人暮らしや高齢者による高齢者介護が特別なものではなくなっている。このような多くの高齢者や事故被害者の方々の尊い生命が無為に失われることのない仕組みづくりが求められている。
【００１０】
本発明は、斯かる事情に鑑みてなされたものであって、医療機関、地域、場所、状況に制限されることなくかつ情報漏えいにも配慮された上での医療情報の入力・更新・追記・管理・閲覧が可能となり患者が適切な医療行為を受けることができ、また、医師が各患者に適切な医療行為を行うことができる医療情報システム及びプログラムを提供することを目的とする。
【課題を解決するための手段】
【００１１】
上記課題を解決するための本発明は、患者の医療情報を格納した携帯可能な記憶媒体と、医療機関に設けられて、前記記憶媒体に格納された医療情報の閲覧と、新たに患者に施された治療に関する情報を前記医療情報に追記する医療機関情報処理装置と、患者個人が管理し対応した医療上の情報を前記医療情報に追記する自宅情報処理装置と、医師以外の医療関係者が患者に対して処置した内容と、医師が施した救急治療の内容を前記医療情報に追記する救命情報処理装置とを備え、前記医療機関情報処理装置は前記医療情報の取扱について開示することの同意としての患者の認証と医者との認証を求め、前記自宅情報処理装置は前記医療情報の取扱について患者の認証を求め、前記救命情報処理装置は前記医療情報の取扱について医師または医師以外の医療関係者の認証を求める医療情報システムである。
【００１２】
また本発明は、コンピュータを上記記載の発明である医療情報システムに備えられた前記医療機関情報処理装置、前記自宅情報処理装置または前記救命情報処理装置として機能させるコンピュータプログラムである。
【発明の効果】
【００１３】
この発明によれば、医療機関、地域、場所、状況に制限されることなくかつ情報漏えいにも配慮された上での医療情報の入力・更新・追記・管理・閲覧が可能となり患者が適切な医療行為を受けることができ、また、医師が各患者に適切な医療行為を行うことができる医療情報システム及びプログラムを提供することができる。
【図面の簡単な説明】
【００１４】
【図１】図１は、本実施の形態の医療情報システムを利用した医療プロセスを示す図。
【図２】図２は、本実施の形態の医療情報システムの構成を示す図。
【図３】図３は、患者記憶媒体に記憶されている医療情報の構成を示す図。
【図４】図４は、第１レベルに属する医療情報の内容を示す図。
【図５】図５は、第２レベルに属する医療情報の内容を示す図。
【図６】図６は、患者記憶媒体の発行処理を実行する発行処理部の動作を示す概略のフロー図。
【図７】図７は、関係者記憶媒体の内容を示す図。
【図８】図８は、医療機関での診療処理を実行する診療処理部の動作を示す概略のフロー図。
【図９】図９は、自宅での自己管理処理を実行する自己管理処理部の動作を示す概略のフロー図。
【図１０】図１０は、医療用移動車両及び救急医療機関での救命処理を実行する救命処理部の動作を示す概略のフロー図。
【発明を実施するための形態】
【００１５】
［第１の実施の形態］  
第１の実施の形態の医療情報システムを説明する前に、本医療情報システムを利用した医療プロセスについて図１を参照しつつ説明する。
【００１６】
この医療プロセスでは、患者個人の検査情報や病歴情報等（以下、医療情報という。）は本来患者個人が所有管理するべきものとの考えに立脚している。患者１は、本人の医療情報を記録した記憶媒体（以下、患者記憶媒体という）１０を携行する。患者記憶媒体１０は患者１が常時身につけて携行できるように小型軽量なものが望ましい。
【００１７】
記憶媒体発行業務機関１１ａまたは記憶媒体発行業務の委託を受けた委託機関１１ｂが患者記憶媒体１０の発行に関する業務を行う。この患者記憶媒体１０に記録される医療情報は、正しい（誤りのない）ことが厳格に要求される。このため、記憶媒体発行業務機関１１ａは、患者記憶媒体１０の発行に際しては、医者のカルテなどにより記載事項が正しいこと、また患者本人であることの証明を求める。
【００１８】
また、正しい情報を管理するとの立場から、記憶媒体発行業務機関１１ａは、同一人による複数の患者記憶媒体１０の発行受付を排除する。但し、患者記憶媒体１０の複製発行については排除されない。
【００１９】
医療機関１２の医師２は、患者１が治療などで来院した際、患者記憶媒体１０に記録される医療情報を閲覧することができる。閲覧する医療情報には、過去の医療処置情報などがある。そして、患者１に治療を施した場合は、その処置内容と医師２の識別情報とを患者記憶媒体１０の医療情報に追記する。従って、医療機関１２の医師は、患者１が初めて来院した場合であっても、患者１の医療情報を閲覧することにより適切な治療を施すことができる。
【００２０】
なお、医療関係者である医師２には医師の個人情報を記録した記憶媒体（以下、関係者記憶媒体という）２０が発行されている。医師２は、関係者記憶媒体２０を用いて医師本人であることを認証した後、上述の患者記憶媒体１０の医療情報を閲覧し、追記することができる。
【００２１】
患者１は、自宅１３において医療情報のうち体重、血圧などを自身で測定した場合は、その自己管理情報を患者記憶媒体１０の医療情報に追記する。なお患者１は、患者記憶媒体１０の医療情報を閲覧することができ、また患者自身が管理する所定の項目を適宜訂正することができる。
【００２２】
事前に登録されている救命救急士、看護師、介護士などの医師以外の医療関係者３は、例えば緊急時に医療用移動車両１４で患者１を搬送する際、患者記憶媒体１０に記録される医療情報を閲覧することができる。閲覧する医療情報には、患者の検査情報（例えば、血液型など）、救急医療に必要な医療情報などがある。そして、患者１に応急的な処置を施した場合は、その処置内容を患者記憶媒体１０の医療情報にテンポラリとして追記する。
【００２３】
なお、医師以外の医療関係者３にも、救命救急士、看護師、介護士などの個人情報を記録した関係者記憶媒体２０が発行されている。医師以外の医療関係者３は、関係者記憶媒体２０を用いて本人であることを認証した後、上述の患者記憶媒体１０の医療情報を閲覧し、追記することができる。
【００２４】
救急医療機関１５の救命救急担当医師４は、搬送された患者１の医療情報を患者記憶媒体１０によって閲覧することができる。閲覧する医療情報には、救命救急に必要な医療情報、医師以外の医療関係者３が処置した内容などがある。そして、患者１に緊急治療を施した場合は、その治療内容を患者記憶媒体１０の医療情報に追記する。救急医療機関１５の救命救急担当医師４は、患者１が緊急で搬送された場合であっても、患者１の医療情報を閲覧することにより適切な治療を施すことができる。  
なお、救急医療機関１５の救命救急担当医師４は、関係者記憶媒体２０を用いて医師本人であることを認証した後、上述の患者記憶媒体１０の医療情報を閲覧し、追記することができる。
【００２５】
図２は、本実施の形態の医療情報システムの構成を示す図である。  
図２に示すように本医療情報システムは、通信回線３０に対して接続可能になされた、患者記憶媒体１０に記憶されているデータを保存するとともに紛失した際のバックアップを行う管理サーバ４０、記憶媒体発行業務機関１１ａに備えられた情報処理装置３１ａ、委託機関１１ｂに備えられた情報処理装置３１ｂ、医療機関１２に備えられた情報処理装置３２、患者１の自宅１３に備えられた情報処理装置３３、医療用移動車両１４に備えられた情報処理装置３４、及び救急医療機関１５に備えられた情報処理装置３５で構成されている。データのバックアップを行うサーバは管理サーバ４０と同一でも良いし、あるいはバックアップ専用の別のサーバでも良い。
【００２６】
そして、情報処理装置３２〜３５には、それぞれ記憶媒体１０，２０から情報を読出し書き込むためのリーダ／ライタ３２ａ〜３５ａ、使用者を認証するための生体認証機器３２ｂ〜３５ｂが設けられている。
【００２７】
通信回線３０は、広く情報の送受信に用いられる経路のことで、導電線、光ファイバなどの有線を用いた通信に限られず、光、音波、電波などを用いた無線通信も含まれる。
【００２８】
なお、それぞれの情報処理装置３１ａ、３１ｂ、３２〜３５は、常時通信回線に接続している必要は無い。上述のように、それぞれの情報処理装置は患者記憶媒体１０を介して情報の授受を行うからである。それぞれの情報処理装置は、患者記憶媒体１０に記憶されている医療情報を追加修正したときに、通信回線３０を介して管理サーバ４０に追加修正された医療情報を送信する。従って、管理サーバ４０は常時通信回線３０に接続されている必要がある。
【００２９】
次に、患者記憶媒体１０に記憶されている医療情報について説明する。  
図３は、患者記憶媒体に記憶されている医療情報の構成を示す図である。医療情報は、第１レベルと第２レベルに２層化されている。このように、情報を２層化したのは、患者の医療に関する情報は原則として開示を禁止する一方で、レベル１の情報についてはこの制限を緩和して、救急救命時に必要な情報を迅速かつ的確に閲覧することを可能とするためである。
【００３０】
図４は、第１レベルに属する医療情報の内容を示す図である。第１レベルに属する医療情報には、「記憶媒体発行番号５０」、「個人識別情報５１」、「指定者情報５２」、「患者自己管理情報５３」、「救急医療に必要な医療情報５４」、「医療関係者毎の処置情報５５」が含まれる。
【００３１】
記憶媒体発行番号５０は、患者記憶媒体１０を識別するための番号である。
【００３２】
個人識別情報５１は、患者個人を識別、認証するための情報である。具体的には、次のような情報を含んでいる。  
・氏名、・年齢、・性別、・生年月日、・本籍地、・現住所、・電話番号、・血液型、・体重、・身長、・健康保険番号、・職業、・会社員等は所属会社名、・本人認証用生体情報。  
なお、本人認証用生体情報は、例えば指紋による認証をおこなうための生体識別データである。また、上述のデータの他に患者の顔画像を情報に加えても良い。
【００３３】
指定者情報５２は、患者が意識不明等意思表示を行えない場合に、当該患者に代わって意思表示を行い、患者の行為を代行できる指定者（例えば法定代理人）、に関する情報である。指定者は、患者が予め指定する。具体的には、次のような情報を含んでいる。  
指定者の、・氏名、・年齢、・性別、・生年月日、・現住所、・電話番号、・申込者との関係。  
なお、患者１は、指定者として、複数人を指定することができる。また患者１は、指定者情報５２を適宜追加修正することができる。
【００３４】
患者自己管理情報５３は、患者１が自己で管理する医療情報、医療機関１２にかからずに個人で対応した医療情報である。具体的には、次のような情報を含んでいる。  
・体温、・血圧、・個人で購入して服用している医薬品名、・現在の症状。  
患者１は、適宜自己管理情報５３を追記する。自己管理情報５３には最近の数例の自己管理情報が保存されている。
【００３５】
救急医療に必要な医療情報５４は、救急医療の際に必要となりうる医療情報である。具体的には、次のような情報を含んでいる。  
・現在通っている医療機関の名称、住所、電話番号、・担当医名、・現在の投薬情報（病名に対する薬名、投薬量等）、・申し込み時点の病歴、・直近の重要な禁忌事項（アレルギー、癲癇等）、・重大疾患。  
医療機関１２の医師２は、患者を治療した際は医療情報５４を追記する。
【００３６】
処置情報５５は、医師以外の各医療関係者３、救命救急担当医師４による処置情報である。具体的には、次のような情報を含んでいる。  
・救命救急士が行った処置情報、・看護師が行った処置情報、・介護士が行った処置情報、・救命救急担当医師が行った処置情報。  
医師以外の各医療関係者３は例えば医療用移動車両１４内において患者１に施した処置を処置情報５５に追記する。この処置情報５５は、例えば搬送中の患者１に施された処置を救命救急担当医師４が把握するためのテンポラリな情報である。従って、救命救急担当医師４はこの情報を確認した後、この情報を破棄するかあるいはレベル２の医療情報（後述する）に転記する。
【００３７】
図５は、第２レベルに属する医療情報の内容を示す図である。第２レベルに属する医療情報には、「医療行為にかかる医療情報５６」、「オペ情報５７」、「健康診断情報５８」が含まれる。
【００３８】
医療行為にかかる医療情報５６は、医師２が患者１に施した治療などの医療行為に関する情報である。具体的には、次のような情報を含んでいる。  
・医療行為を行った医療関係者情報、・診療記録、・検査データ、・画像診断データ（医師の所見含む）、・投薬データ（病名に対する薬名、投薬量等）。  
この医療情報５６は、医師２のみが閲覧、追記することができる。しかし、一旦記載して確定した医療情報５６を修正することはできない。また、医師２は、上述の医師以外の各医療関係者３による処置情報５５の内必要と判断した情報をこの医療情報５６に転記し、処置情報５５を消去する。
【００３９】
オペ情報５７は、患者１に対して行なった手術の情報である。具体的には、次のような情報を含んでいる。  
・投薬、・輸血、・材料、・経過情報。  
この医療情報５６は、医師２のみが閲覧、追記することができる。しかし、一旦記載して確定した医療情報５６を修正することはできない。
【００４０】
健康診断情報５８は、定期健診等の健康診断結果の情報である。  
・一般検診、・成人病検診、・老齢検診、・女性検診。
【００４１】
この健康診断情報５８は、医師２のみが閲覧、追記することができる。しかし、一旦記載して確定した健康診断情報５８を修正することはできない。
【００４２】
次に、本医療情報システムを構成する各情報処理装置の動作について説明する。
【００４３】
先ず患者記憶媒体１０を新たに発行する処理について説明する。  
患者記憶媒体１０の発行を希望する者は、記憶媒体発行業務機関１１ａまたは記憶媒体発行業務の委託を受けた機関１１ｂに出向き、患者記憶媒体１０の発行手続きを申し込む。記憶媒体発行業務機関１１ａまたは記憶媒体発行業務の委託を受けた機関１１ｂの業務に従事する者（登録担当者）は、患者記憶媒体１０に記憶される情報を開示することの同意を患者１に求める。この求めに対して、患者１が同意する場合には情報処理装置３１ａ、３１ｂを操作して発行処理を実行する。しかし、患者１が同意しない場合には手続きを停止する。
【００４４】
図６は、情報処理装置３１ａ、３１ｂにおいて患者記憶媒体１０の発行処理を実行する発行処理部の動作を示す概略のフロー図である。
【００４５】
ステップＳ０１において、発行処理部は患者本人を識別するための情報を取得する。この識別情報としては、例えば、戸籍、健康保険証、年金番号などがある。ステップＳ０２において、発行処理部は、管理サーバ４０に識別情報を送信して、この患者に対して患者記憶媒体１０を発行済みか否かを問い合わせる。
【００４６】
ステップＳ０３でＹｅｓの場合、即ち患者記憶媒体１０が発行済みの場合は、重複登録であるとして発行処理を終了する。  
ステップＳ０３でＮｏの場合、即ち患者記憶媒体１０が未発行の場合は、ステップＳ０４において、医療情報の取得を開始する。
【００４７】
登録担当者は、患者１が持参した申請書類、カルテなどに基づいて所要の情報を情報処理装置３１ａ、３１ｂに入力する。  
ステップＳ０５において、発行処理部は患者本人を認証するための生体情報を取得する。本実施の形態では、指紋データを取得する。なお、生体情報は、指紋に限られず、網膜、静脈を用いても良い。
【００４８】
ステップＳ０６において、発行処理部は取得した情報を管理サーバ４０に送信して管理サーバ４０に登録させると共に、管理サーバ４０から記憶媒体発行番号５０を取得する。ステップＳ０７において、記憶媒体発行番号５０と取得した医療情報を格納した患者記憶媒体１０を発行する。
【００４９】
次に患者１が医療機関１２において、治療を受ける場合の処理について説明する。  
患者１は、患者記憶媒体１０を携行して医療機関１２に出掛ける。医療機関１２の医師２は、患者１を診察すると共に、患者記憶媒体１０の医療情報を閲覧して患者に適切な治療を施す。そして、治療した内容などを患者記憶媒体１０に追記する。  
ここで、医師２が患者１の医療情報を閲覧し追記するためには、医師２であることを関係者記憶媒体２０を用いて認証する必要がある。
【００５０】
図７は、関係者記憶媒体２０の内容を示す図である。  
関係者記憶媒体２０には、次のような情報が含まれている。  
・記憶媒体発行番号、・国家資格登録Ｎｏ、・本人認証用生体情報、・氏名、・年齢、・性別、・生年月日、・本籍地、・現住所、・電話番号、・勤務先病院情報。
【００５１】
医師２、救命救急士、看護師、介護士などの医療関係者の資格は全て登録されている。従って、関係者記憶媒体２０の所持が正当な資格保持者であるかどうかの識別情報である。この関係者記憶媒体２０は、上述の記憶媒体発行業務機関１１ａによって発行される。医療関係者は、業務の遂行に際し、関係者記憶媒体２０を携行する。
【００５２】
図８は、情報処理装置３２において医療機関１２での診療処理を実行する診療処理部の動作を示す概略のフロー図である。
【００５３】
医師２が情報処理装置３２を操作して診療処理部を起動すると、診療処理部は、患者記憶媒体１０と関係者記憶媒体２０を読み込ませるように求める。そこで、医師２が患者記憶媒体１０と関係者記憶媒体２０とを情報処理装置３２に備えられた記憶媒体リーダライタ３２ａにセットして情報を読み込ませる。
【００５４】
続いて、診療処理部は患者１及び医師２の認証を求める。患者１及び医師２は、情報処理装置３２に備えられた生体認証機器３２ｂを用いて指紋のスキャン情報を入力すると、ステップＳ１１、Ｓ１２において、診療処理部は入力された指紋データと記憶媒体１０，２０にある本人認証用生体情報である指紋データとを照合して患者１及び医師２の認証を試みる。  
患者１及び医師２の認証が共に合格すれば、以降の処理に進む。しかし、認証が不合格の場合は、本診療処理は終了する。
【００５５】
ステップＳ１３において、診療処理部は患者記憶媒体１０に格納されている各医療情報を表示装置に表示する。ここで、レベル１の情報だけでなくレベル２の情報も表示される。医師２は、これら医療情報を参考にして、患者１に対して適切な医療行為を実行する。
【００５６】
医師２が患者１に対して施した治療内容を入力すると、ステップＳ１４において、診療処理部は入力された医療情報を取得する。ステップＳ１５において、診療処理部は入力された医療情報を患者記憶媒体１０に追記する。医師２が追記する内容は、図５の「医療行為にかかる医療情報５６」であり、必要に応じて図４の「救急医療に必要な医療情報５４」を追記する。
【００５７】
診療処理部は、関係者記憶媒体２０を記憶媒体リーダライタ３２ａにセットするように求める。そこで、医師２が患者記憶媒体１０を記憶媒体リーダライタ３２ａにセットすると追記された情報が患者記憶媒体１０に書き込まれる。
【００５８】
ステップＳ１６において、診療処理部は、情報処理装置３２が通信回線３０に接続しているかどうかを調べる。ステップＳ１６でＹｅｓの場合、即ち情報処理装置３２が通信回線３０に接続しているときは、ステップＳ１７において、追記内容を管理サーバ４０に送信してデータを追記・更新させる。
【００５９】
ステップＳ１６でＮｏの場合、即ち情報処理装置３２が通信回線３０に接続していないときは、処理を終了する。そして、その後情報処理装置３２が通信回線３０に接続されたときに追記内容を管理サーバ４０に送信してデータを更新させる。
【００６０】
図９は、情報処理装置３３において自宅１３での自己管理処理を実行する自己管理処理部の動作を示す概略のフロー図である。
【００６１】
患者１が情報処理装置３３を操作して自己管理処理部を起動すると、自己管理処理部は、患者記憶媒体１０を読み込ませるように求める。そこで、患者１が患者記憶媒体１０を情報処理装置３３に備えられた記憶媒体リーダライタ３３ａにセットして情報を読み込ませる。
【００６２】
続いて、自己管理処理部は患者１の認証を求める。患者１は、情報処理装置３３に備えられた生体認証機器３３ｂを用いて指紋のスキャン情報を入力すると、ステップＳ２１において、自己管理処理部は入力された指紋データと記憶媒体１０の指紋データとを照合して患者１を認証する。
【００６３】
ステップＳ２２において、自己管理処理部は患者記憶媒体１０に格納されている各医療情報を表示装置に表示する。ここで、レベル１の情報だけでなくレベル２の情報も表示される。患者１は、これら医療情報を閲覧することができる。そして、患者１は、自身で医療情報を測定し、新たな医療情報を追記するかどうかを判断する。
【００６４】
ステップＳ２３でＮｏの場合、即ち新たな医療情報が入力されないときは自己管理処理を終了する。  
ステップＳ２３でＹｅｓの場合、即ち新たな医療情報が入力されたきは自己管理処理部は、患者記憶媒体１０内の医療情報を修正する。ここで、患者１が修正することができるのは、個人識別情報５１、指定者情報５２、患者自己管理情報５３の情報であり、その他の情報を修正することはできない。
【００６５】
ステップＳ２４において、患者１が修正内容を確認して保存を選択すると、自己管理処理部は、患者記憶媒体１０を記憶媒体リーダライタ３３ａにセットするように求める。そこで、患者１が患者記憶媒体１０を記憶媒体リーダライタ３３ａにセットすると追記された情報が患者記憶媒体１０に書き込まれる。
【００６６】
ステップＳ２５において、自己管理処理部は、情報処理装置３３が通信回線３０に接続しているかどうかを調べる。ステップＳ２５でＹｅｓの場合、即ち情報処理装置３３が通信回線３０に接続しているときは、ステップＳ２６において、追記内容を管理サーバ４０に送信してデータを更新させる。
【００６７】
ステップＳ２５でＮｏの場合、即ち情報処理装置３３が通信回線３０に接続していないときは、処理を終了する。そして、その後情報処理装置３３が通信回線３０に接続されたときに追記内容を管理サーバ４０に送信してデータを更新させる。
【００６８】
図１０は、情報処理装置３４、３５において医療用移動車両１４及び救急医療機関１５での救命処理を実行する救命処理部の動作を示す概略のフロー図である。
【００６９】
医師以外の医療関係者３（以下、救急隊員という）は、医療機関外で救急救命が必要となったときは、医療用移動車両１４に出動時医療機関外に持ち出すことを届出・登録した情報処理装置３４と共に乗車して出動する。
【００７０】
救急隊員３が情報処理装置３４を操作して救命処理部を起動すると、救命処理部は、関係者記憶媒体２０を読み込ませるように求める。そこで、救急隊員３が関係者記憶媒体２０を情報処理装置３４に備えられた記憶媒体リーダライタ３４ａにセットして情報を読み込ませる。この時、持ち出し登録されていない情報処理装置で読み出すことは出来ない。
【００７１】
続いて、救命処理部は救急隊員３の認証を求める。救急隊員３は、情報処理装置３４に備えられた生体認証機器３４ｂを用いて指紋のスキャン情報を入力すると、ステップＳ３１において、救命処理部は入力された指紋データと記憶媒体２０にある指紋データとを照合して救急隊員３の認証を実行する。  
そして、救急隊員３であることが認証されたときは、救命処理部は患者記憶媒体１０を読み込ませるように求める。
【００７２】
以上の処理が医療用移動車両１４が現地に到着するまでに行われるべき準備作業内容である。
【００７３】
現地に到着した救急隊員３は、患者記憶媒体１０を情報処理装置３４に備えられた記憶媒体リーダライタ３４ａにセットして情報を読み込ませる。
【００７４】
ステップＳ３２において、救命処理部は患者記憶媒体１０に格納されている各医療情報の内所定の医療情報を表示装置に表示する。ここで、表示される医療情報は、「個人識別情報５１」、「患者自己管理情報５３」、「救急医療に必要な医療情報５４」である。
【００７５】
表示される情報をもとに、救急隊員３は、医師等と連絡をとり、患者１に対して救命処置を行う。救命処置を行ったのち、ステップＳ３３において、救急隊員３は救命処置の内容を救急隊員３および情報処理装置３４の識別情報とともに処置情報５５に追記する。
【００７６】
搬送された患者１に対して救急医療機関１５の救命救急担当医師４は治療を施す。この際、救命処理部は救命救急担当医師４の認証によって、レベル１の情報を表示する。救命救急担当医師４は、これら医療情報を参考にして、患者１に対して適切な医療行為を実行する。  
救命救急担当医師４が治療した内容を追記すると、ステップＳ３４において、救命処理部は、入力された医療情報を処置情報５５に追記する。
【００７７】
このように、救急時においては、患者１の認証すなわち同意を求めなくとも、救急隊員３の認証のみによって患者記憶媒体１０の所定の情報を閲覧し、処置内容を追記することができる。また、搬送時においては救命救急担当医師４の認証のみによって患者記憶媒体１０の所定の情報を閲覧し、処置内容を追記することができる。
【００７８】
患者１が回復した後、医師２は、情報処理装置３５を利用して患者１に対して施した治療内容を正式に患者記憶媒体１に登録する。この操作処理内容は、図８に示す医療機関１２での診療処理と同様であるため、重複した説明は省略して、情報処理装置３５の動作を簡略化して説明する。
【００７９】
患者１が回復後、ステップＳ３５において、患者１と医師２との指紋認証を経て、医師２は、一時的に保存した処置情報５５を正式な医療情報として追記する。即ち、医師２は、処置情報５５から必要と判断した医療情報を「救急医療に必要な医療情報５４」、「医療行為にかかる医療情報５６」、「オペ情報５７」に追記する操作を行う。
【００８０】
ステップＳ３６において、情報処理装置３５は、追記された情報を管理サーバ４０に送信してデータを更新させる。
【００８１】
なお、患者１が回復していないときや意識不明のときで患者１の認証すなわち同意が必要となる場合、「指定者情報５２」に記載されている、患者１が事前に指定した者（指定者）の行為によって認証を行っても良い。例えば、指定者の指紋データを指定者情報５２に登録しておき、患者１の代理として認証を行っても良い。あるいは、患者１の指を生体認証機器上で動かす動作を指定者が補助して認証を行っても良い。
【００８２】
なお、上述の実施の形態で使用される患者記憶媒体１０、関係者記憶媒体２０には、ＩＣカード、ＵＳＢメモリを用いることができる。また、生体情報認証機器は、情報処理装置に個別に設けられなくとも良く、例えば指紋認識機能を備えたＵＳＢメモリを用いても良い。
【００８３】
[実施の形態の効果]
以上説明した実施の形態の医療情報システムによれば、次の効果を挙げることができる。
【００８４】
（１）本実施の形態の医療情報システムでは、患者が常に自身の医療情報を携行することが可能なため、医療行為に対して医療機関や地域、場所に制限はない。このため、医療関係者（医師、看護士、救急救命士、介護士など）は、状況・場所を意識することなく医療行為や救命行為を実施することが可能であり、患者は安心して処置を受けることが可能となる。
【００８５】
（２）本実施の形態の医療情報システムは、通常ではサーバ装置等やネットワーク等を必要とせず、かつ、患者が常に自身の医療情報を携帯することが可能なため、停電時、システムダウン時に大多数の患者データが同時に閲覧さえできなくなるといった危険性はない。このため、電力の供給停止や通信ネットワークの断絶が予測される災害医療などに大きな効果を挙げることが可能である。
【００８６】
（３）本実施の形態の医療情報システムでは、医療機関外での緊急を要する救命救急において、状況・場所にかかわらず（例えば、自宅や救急車等）、該患者の医療情報をその場で確認することが可能であり、さらに、患者情報を情報別に分けているため、救急救命に必要な情報を迅速かつ的確に見つけ、閲覧・参照することが可能である。
【００８７】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００８８】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。特に患者記憶媒体１０は出来るだけ大容量でありすべての情報を保持できることが望ましいが、記憶可能容量を超えた場合の処理として古いデータを上書きする処理の追加や最新情報のみの保持等であっても効果がある。
【００８９】
またそれらの処理についてはＯＳのファイル処理で行なう処理や、効率よく格納するため書き込みポインタによって処理する等いずれの処理であっても実現できる。  
ただしデータのバックアップは時系列にすべてのデータを保存する。
【００９０】
尚、本発明は、上記実施形態そのままに限定されるものではなく、実施段階ではその要旨を逸脱しない範囲で構成要素を変形して具体化できる。  
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００９１】
１…患者、２…医師、３…救急隊員、４…救命救急担当医師、１０…患者記憶媒体、１１ａ…記憶媒体発行業務機関、１１ｂ…委託機関、１２…医療機関、１３…自宅、１４…医療用移動車両、１５…救急医療機関、２０…関係者記憶媒体、３０…通信回線、３１ａ、３１ｂ…情報処理装置、３２ａ〜３５ａ…記憶媒体リーダライタ、３２ｂ〜３５ｂ…生体認証機器、３２…医療機関情報処理装置、３３…自宅情報処理装置、３４．３５…救命情報処理装置、４０…管理サーバ、５１…個人識別情報、５２…指定者情報、５３…患者自己管理情報、５４…医療情報、５５…処置情報、５６…医療情報、５７…オペ情報、５８…健康診断情報。
【図１】
2011028330.tif 000003
【図２】
2011028330.tif 000004
【図３】
2011028330.tif 000005
【図４】
2011028330.tif 000006
【図５】
2011028330.tif 000007
【図６】
2011028330.tif 000008
【図７】
2011028330.tif 000009
【図８】
2011028330.tif 000010
【図９】
2011028330.tif 000011
【図１０】
2011028330.tif 000012